(57)【要約】【課題】薄肉形状による軽量化を図りつつも、基面のヒケ、およびネジ締め時にネジボスや中間支持部、基面の白化や破損を防止することが可能な電気掃除機の吸口体を提供する。【解決手段】ネジボス１１６を有する上ケース１１４と、ネジボス１１６に当接する下ケース１１５と、上ケース１１４と下ケース１１５とを締結するネジ１１９と、を備え、ネジボス１１６部にはネジボス係止部１２８が設けられ、下ケース１１５のネジボス１１６との当接部近傍には固定係止部１２９が設けられ、ネジ１１９をネジボス１１６に締付ける際に、ネジボス１１６がネジ締付け回転方向に変形するのを規制するように、ネジボス係止部１２８と固定係止部１２９が当接する。【選択図】図８
2019017833.tif 000002
【特許請求の範囲】
【請求項１】
ネジボスを有する上ケースと、前記ネジボスに当接する下ケースと、前記上ケースと前記下ケースとを締結するネジと、を備え、前記ネジボス部にはネジボス係止部が設けられ、前記下ケースの前記ネジボスとの当接部近傍には固定係止部が設けられ、前記ネジを前記ネジボスに締付ける際に、前記ネジボスが前記ネジ締付け回転方向に変形するのを規制するように、前記ネジボス係止部と前記固定係止部が当接するように構成されていることを特徴とする電気掃除機の吸口体。
【請求項２】
ネジボスを有する上ケースと、前記ネジボスに当接する下ケースと、前記上ケースと前記下ケースとを締結するネジと、を備え、前記ネジボス部の下部は略円筒状のネジ穴部、上部は空間を有する略コの字状の支持部で形成され、前記ネジ穴部にはネジボス係止部が設けられ、前記下ケースの前記ネジボスとの当接部近傍には固定係止部が設けられ、前記ネジを前記ネジボスに締付ける際に、前記ネジ穴部が前記ネジ締付け回転方向に変形するのを規制するように、前記ネジボス係止部と前記固定係止部が当接するように構成されていることを特徴とする電気掃除機の吸口体。
【発明の詳細な説明】
【技術分野】
【０００１】
本発明は、電気掃除機の吸口体に関する。
【背景技術】
【０００２】
電気掃除機の吸口体として、特許文献１のように下ケースと上ケースをネジにより締結する吸込口体が記載されている。
【先行技術文献】
【特許文献】
【０００３】
【特許文献１】特開２０１７−１０４７１１号公報
【発明の概要】
【発明が解決しようとする課題】
【０００４】
ところで、電気掃除機や吸込具は、操作性を考慮すると軽量であることが望ましい。そこで、構成する部品を薄肉形状とすることが考えられる。
【０００５】
しかしながら、構成する部品を薄肉形状とした場合には、リブやネジボスの肉厚が基面の肉厚よりも一定以上に厚くなると、リブやネジボスの支持部基面にヒケが発生する。また、リブやネジボスの支持部基面の強度（許容応力）が低下し、ネジ締付け時や製品使用時にネジボスの支持部基面に加わる応力がこれを超えると白化や亀裂、破損に至る。
【０００６】
特に、ネジボスの支持部基面が電気掃除機や吸込口体を構成する外観部品である場合、機能上の問題とならないヒケや白化等であっても、容認されないことがある。
【０００７】
そこで、薄肉形状としつつネジボス部の支持部基面のヒケや白化等の発生を回避する手段として、ネジボスと基面の間に空間を設けネジボスを中間支持部で支持する構造とすることで、基面の肉厚は略均一となりヒケを防止でき、ネジボスに加わる応力は基面に直接は加わらないため、基面の白化や亀裂、破損を防止できる。
【０００８】
しかしながら、この構造において、基面のヒケや白化、亀裂等は防止できるが、ネジ締付け時にはネジボスへの回転力が中間支持部に加わるため、中間支持部に亀裂や破損を生じる恐れがある。
【０００９】
本発明は、薄肉形状による軽量化を図りつつも、基面のヒケ、およびネジ締め時にネジボスや中間支持部、基面の白化や破損を防止することが可能な電気掃除機の吸口体を提供することを目的とする。
【課題を解決するための手段】
【００１０】
本発明は、ネジボスを有する上ケースと、前記ネジボスに当接する下ケースと、前記上ケースと前記下ケースとを締結するネジと、を備え、前記ネジボス部にはネジボス係止部が設けられ、前記下ケースの前記ネジボスとの当接部近傍には固定係止部が設けられ、前記ネジを前記ネジボスに締付ける際に、前記ネジボスが前記ネジ締付け回転方向に変形するのを規制するように、前記ネジボス係止部と前記固定係止部が当接するように構成されていることを特徴とする。
【発明の効果】
【００１１】
本発明によれば、薄肉形状により軽量化を図りつつも、ケース等の部品をネジで締結する際に、ネジボスがネジ締め付け回転方向に変形、破損するのを防止することが可能な電気掃除機の吸口体を提供できる。
【図面の簡単な説明】
【００１２】
【図１】スティック型として使用する電気掃除機の全体斜視図である。
【図２】ハンディ型として使用する電気掃除機の左側面図である。
【図３】吸口体を取り外した図２に示す電気掃除機の平面図である。
【図４】図３のIV−IV断面図である。
【図５】吸口体の底面図である。
【図６】吸口体の分解図である。
【図７】吸口体の上ケースの部分斜視図である。
【図８】吸口体の図５のＸＩ−ＸＩ断面に示す部分斜視図である。
【図９】吸口体の下ケースを除いた底面部分図である。
【発明を実施するための形態】
【００１３】
以下、本発明を実施するための形態（以下「実施形態」という）について、適宜図面を参照しながら詳細に説明する。
【００１４】
本実施形態が適用される電気掃除機は、掃除機本体に対して伸縮パイプの長さを伸ばした状態でスティック型として使用することができ、また伸縮パイプの長さを縮めた状態でハンディ型として使用することができる。
【００１５】
なお、本実施例では、上記で述べたスティック型電気掃除機、ハンディ型電気掃除機を例に挙げて説明するが、掃除機本体と、ホース部と接続し手元操作スイッチＳＷ等が設けられた操作管と、伸縮自在に設けられた延長管と、吸口体とで構成されるいわゆるシリンダー型の電気掃除機や、電気掃除機本体、延長管、吸口体とで構成されるタイプの充電式電気掃除機などに適用してもよい。
【００１６】
図１は、スティック型として使用する電気掃除機１００の全体斜視図である。図２は、ハンディ型として使用する電気掃除機１００の左側面図である。図３は、吸口体３を取り外した図２に示す電気掃除機１００の平面図である。図４は、図３のIV−IV断面図である。なお、図２及び図３における伸縮パイプ２０は、隠れ線（点線）で表している。また、以下の説明における電気掃除機１００の前後上下左右の方向は、図１及び図２の矢印で示す前後上下左右の方向を基準とする。
【００１７】
図１及び図２に示すように、電気掃除機１００は、吸口体３と、掃除機本体１と、伸縮パイプ２０（図１参照）と、第１ハンドル３０と、伸縮パイプ２０のロックアンロック装置（不図示）とを備えている。
【００１８】
≪吸口体≫
吸口体３は、掃除機本体１の前部に開口する吸込口１５（図４参照）に嵌脱自在に取り付けられる。
【００１９】
図１に示す吸口体３は、電動機駆動の回転ブラシを内蔵するパワーブラシ式吸口体３ａであり、図２に示す吸口体３は、隙間ノズル３ｂである。なお、電気掃除機１００の吸口体３は、これらパワーブラシ式吸口体３ａや隙間ノズル３ｂに限定されるものではなく、他の吸口体を使用することもできる。また、電気掃除機１００は、吸口体３を取り付けないで使用することもできる。ちなみに、本実施形態での吸口体３は、掃除機本体１の前端に設けられた吸口体着脱ボタン１６を押し下げることによって掃除機本体１から取り外すことができるようになっている。なお、吸口体３の詳細については後記する。
【００２０】
なお、図１に示す電気掃除機１００と図２に示す電気掃除機１００とは、伸び出た伸縮パイプ２０の長さが異なり、前記のように吸口体３がパワーブラシ式吸口体３ａと隙間ノズル３ｂとで異なっていること以外は同じ構造となっている。
【００２１】
≪掃除機本体≫
掃除機本体１は、ケース１０内に後記の電動送風機４０（図４参照）、本体基板４４（図４参照）、蓄電池６０（図４参照）などを備えて構成されている。また、掃除機本体１は、ケース１０に対して着脱自在に取り付けられたサイクロン方式の集塵装置２と、吸口体３から吸い込まれる塵挨を含む空気を集塵装置２に送り込む後記の空気導入管（不図示）とを備えている。
【００２２】
掃除機本体１の外形は、主にケース１０と集塵装置２とがなす外形で略構成されており前後方向に長い形状となっている。また、掃除機本体１のケース１０には、第２ハンドル３３が形成されている。
【００２３】
＜ケース＞
ケース１０は、図１に示すように、パイプケース部１３と、モータケース部１１と、蓄電池ケース部１２と、導入管ケース部１４とを有している。
【００２４】
パイプケース部１３は、掃除機本体１の上部を前後方向に延びるように形成されている。パイプケース部１３は、後記するように、掃除機本体１の後部寄りで第２ハンドル３３を形成している。パイプケース部１３の外形は、この第２ハンドル３３部分を除いて前後方向に延びる凸条形状となっている。
【００２５】
パイプケース部１３は、図３及び図４に示すように、電気掃除機１００がハンディ型として使用される際には、後記する伸縮パイプ２０（パイプ部材２１）を内側に収納する。なお、電気掃除機１００がスティック型として使用される際には、パイプ部材２１は、図１に示すように、掃除機本体１の後端部からパイプケース部１３の外側に伸び出た状態となる。
【００２６】
モータケース部１１は、図１及び図２に示すように、パイプケース部１３の下側において掃除機本体１の略後半分の範囲でパイプケース部１３と蓄電池ケース部１２との間に配置されている。モータケース部１１は、図３に示すように、パイプケース部１３よりも左右方向に幅広に形成されている。
【００２７】
蓄電池ケース部１２は、図１及び図２に示すように、掃除機本体１の略後半分の範囲でモータケース部１１の下側に配置されている。蓄電池ケース部１２は、図３に示すように、パイプケース部１３よりも左右方向に幅広に形成され、モータケース部１１よりも左右方向に幅狭に形成されている。
【００２８】
導入管ケース部１４は、後記する空気導入管１７（図５参照）を上側から覆うように配置されている。
【００２９】
なお、図１及び図２中、符号８０は、回転ブラシである。
【００３０】
導入管ケース部１４は、図３に示すように、掃除機本体１の略前半分の範囲でパイプケース部１３の右側に張り出すように配置されている。
【００３１】
＜電動送風機、本体基板及び蓄電池＞
図４に示すように、電動送風機４０は、モータケース部１１内に収容されている。具体的には、電動送風機４０は、モータケース部１１内に配置される固定ケース１１ａ内にネジなどによって支持されている。
【００３２】
電動送風機４０は、ファン４１と、このファン４１を回転軸４２周りに駆動する電動機４３と、を備えている。
【００３３】
本実施形態での電動送風機４０は、ファン４１が前方を向くように配置されることで、回転軸４２が伸縮パイプ２０と平行になっている。
【００３４】
電動送風機４０は、集塵装置２側に臨む前部から吸気する。電動送風機４０からの排気は、固定ケース１１ａ内を後方に向けて流れる。
【００３５】
本体基板４４，４４は、掃除機本体１を制御する制御基板であり、電動送風機４０の後方で固定ケース１１ａ内にネジなどによって固定されている。
【００３６】
本実施形態での本体基板４４，４４は、上下に分割して配置され、対向する面に電子部品が実装されている。電動送風機４０から排出された空気のほとんどは、各本体基板４４，４４に対向するように配置された電子部品を冷却するように流れる。そして、固定ケース１１ａの所定の開口部（図示を省略）から流れ出た排気は、モータケース部１１の内外を貫く複数のスリットなどで形成される排気口（図示を省略）を介して機外に排出される。なお、この排気口にはフィルタを配置することもできる。
【００３７】
蓄電池６０は、蓄電池ケース部１２内に収容されている。本実施形態での蓄電池６０は、上下方向に扁平の直方体で形成されている。蓄電池６０は、電気掃除機１００の主電源であり、本体基板４４、電動送風機４０などと電気的に接続されている。
【００３８】
蓄電池６０は、リチウムイオン電池、ニッケル水素電池などの充電可能な二次電池で構成されている。本実施形態での蓄電池６０は、単電池を複数用いた組電池を想定しているが、電気掃除機１００の使用条件等によっては単電池を使用することもできる。
【００３９】
図５は、吸口体の底面図である。なお、図５は、吸口体３の後進時の状態である。
【００４０】
図５に示すように、吸口体３は、吸口ケース１１０と、可動フラップ１２０と、を備えて構成されている。
【００４１】
吸口ケース１１０は、底面から平面視において略矩形状（横長四角形状）を呈するとともに、図５において太い破線で示すように、略矩形状の吸口１１１を有している。すなわち、吸口ケース１１０は、当該吸口ケース１１０の底面に吸口１１１（図５において太い破線で囲む領域）を有している。
【００４２】
また、吸口ケース１１０は、吸口１１１の左右両側に、着脱可能なカバー部材１１２，１１３を備えている。カバー部材１１２は、レバー固定式のものであり、カバー部材１１３は、ねじ固定式のものである。
【００４３】
カバー部材１１２には、床面上において吸口ケース１１０を支持するローラ１１２ｒが設けられている。カバー部材１１３には、床面上において吸口ケース１１０を支持するローラ１１３ｒが設けられている。
【００４４】
可動フラップ１２０は、左右方向に延びる長尺形状であり、吸口ケース１１０の前端に設けられている。また、可動フラップ１２０は、左右のカバー部材１１２，１１３の位置まで延びている。
【００４５】
また、吸口体３は、第一回転清掃体１３０及び第二回転清掃体１４０を備えている。第一回転清掃体１３０は、吸口１１１内の可動フラップ１２０の後方に配置されている。第二回転清掃体１４０は、吸口１１１の後方に配置されている。
【００４６】
第一回転清掃体１３０は、軸中心に設けられたコア部材の外周に刷毛が植設されたものである。また、回転ブラシ１３０は、ブラシ部分がカバー部材１１２からカバー部材１１３まで延びて配置されている。
【００４７】
第二回転清掃体１４０は、断面視円形であり、第一回転清掃体１３０と平行に配置されている。また、第二回転清掃体１４０は、第一回転清掃体１３０よりも軸方向に若干長く形成されている。また、第二回転清掃体１４０は、第一回転清掃体１３０と前後方向において対向して配置されている。
【００４８】
図６は、吸口体３の部分分解図で、上ケース１１４とネジ１１９、カバー部材１１３、ローラ軸カバー１１７、流路カバー１１８を所定位置から移動しており、掃除機本体１と着脱可能に接続される連結管は図示していない。
吸口体３は、上ケース１１４に設けられた複数のネジボス１１６とネジ１１９の間に、下ケース１１５およびカバー部材１１３、ローラ軸カバー１１７を挟持して締結し、また流路カバー１１８はネジ１１９で締結される上ケース１１４と下ケース１１５に挟持して形成されている。尚、上ケース１１４にネジボス１１６を設けているのは、下ケース１１５よりも上ケース１１４側の方が使用時に目にする側であり、ネジ１１９頭を下ケース１１５側に配することで意匠性を高めるためである。
【００４９】
図７に上ケース１１４の部分斜視図を示す。ネジボス１１６は円筒形状で円筒の中心にネジ１１９ｅ（図６参照）の呼び径よりも小径の穴１２３ｅを有し、ネジボス１１６の端面に開口している。
【００５０】
本実施例におけるネジボス１１６は高さが４５ｍｍと高い。一般的には、ネジ１１９で締結する際に、高さのあるネジボス１１６は、リブ等を設けることでネジボス１１６の破損を防止する。しかし、前述したように上ケース１１４にネジボス１１６を設けると、外観面にヒケが生じる恐れがある。
【００５１】
ネジボス１１６は、高さを略２等分し、下部に円筒状からなるネジボス１１６ｅ、上部に空間１２５ｅを有する断面が略コの字状の中間支持部１２７ｅで形成されている。中間支持部１２７ｅの基面１２４側の厚みは基面１２４の厚みよりも薄い、もしくは略同程度の厚みからなる壁で構成されている。
【００５２】
この空間１２５ｅおよび中間支持部１２７ｅにより、ネジボス１１６を基面１２４に直接連結した場合の基面１２４の外観面に生じるヒケを防止することが出来る。尚、ヒケは機能上において問題とならない場合でも、外観面においては意匠性が低下するため許容できない場合がある。
【００５３】
しかしながら、ネジ１１９ｅをネジボス１１６ｅに締め付ける際に、中間支持部１２７ｅが破損に至る問題を生じることがある。詳しくは、ネジ１１９ｅをネジボス１１６ｅに締め付けると、ネジ１１９ｅの締め付け回転方向に、締め付け力と等しい力がネジボス１１６ｅに加わる。ネジボス１１６ｅに加わる力は中間支持部１２７ｅに伝わり、中間支持部１２７ｅの面と交差方向に力が加わり、破損を生じることがある。
【００５４】
図８は、本実施例を示す吸口体３のネジボス１１６ｅ付近の断面斜視図（図５ＸＩ−ＸＩ断面）である。
【００５５】
ネジボス１１６ｅの略中央に設けられる穴１２３ｅ（図７参照）の開口側他端の、ネジボス１１６ｅと基面１２４の間に空間１２５ｅを有し、ネジボス１１６ｅと基面１２４は中間支持部１２７ｅにて結合されており、中間支持部１２７ｅは基面１２４側が基面１２４の厚みよりも薄い、もしくは略同程度の厚みからなる壁で構成されている。
【００５６】
ネジボス１１６ｅの側面には外周凸形状となるネジボス係止部１２８ｅが穴１２３ｅの開口端まで設けられ、下ケース１１５のネジボス１１６ｅ当接部にはネジボス係止部１２８ｅと対向する位置に固定係止部１２９が設けられている。
【００５７】
固定係止部１２９は、ネジボス係止部１２８ｅのネジ１１９ｅ締め付け時の回転方向の後ろ側に位置し、ネジボス１１６ｅの円筒中心軸方向にネジボス係止部１２８ｅとの重なり部を有し、ネジボス係止部１２８ｅと当接もしくは微小隙間を有して設けられる。
【００５８】
この構成において、ネジ１１９ｅをネジボス１１６ｅに締め付けると、ネジ１１９ｅの締め付け回転方向に締め付け力と等しい力がネジボス１１６ｅに加わる。ネジボス１１６ｅに加わる力はネジボス係止部１２８ｅから固定係止部１２９に伝わり、中間支持部１２７ｅへ伝わる力が減じられるため、中間支持部１２７ｅの破損を防止することができる。
また、この構成においては、ネジ１１９ｅをネジボス１１６ｅに締め付ける際に、ネジボス係止部１２８ｅと固定係止部１２９に加わる力に対して、必要とする形状への自由度が高いという利点がある。
【００５９】
固定係止部１２９においては、強度を高めるために簡単には固定係止部１２９の幅を増やすことが考えられるが、幅を増やすと下ケース１１５のネジ１１９ｅ当接部にヒケを生じるが、使用時には目に触れ難く意匠性の要求が上ケース１１４に比べて低い場所であり、更にネジ１１９ｅによってヒケが見えにくいため、意匠性の都合による固定係止部１２９の形状の制約が少ない。
【００６０】
ネジボス係止部１２８ｅにおいては、強度を高めるために簡単にはネジボス係止部１２８ｅの幅を増やすことが考えられるが、ネジボス係止部１２８ｅの位置を空間１２５ｅ開口側とすることで、上ケース１１４の基面１２４と隔てられるため、ネジボス係止部１２８ｅによって基面１２４にヒケを生じることがなく、意匠性の都合によるネジボス係止部１２８ｅの形状の制約が少ない。
【００６１】
図９は吸口体３の下ケース１１５を除いた状態における、流路カバー１１８を下ケース１１５側から見た部分図を示している。
【００６２】
ここで示すネジボス１１６ｃは、ネジボス１１６ｃの略中央に設けられる穴１２３ｃの開口側他端の、ネジボス１１６ｃと基面１２４の間に空間１２５ｃ（図７参照）を有し、ネジボス１１６ｃと基面１２４は中間支持部１２７ｃ（図７参照）にて結合されており、中間支持部１２７ｃは基面１２４側が基面１２４の厚みよりも薄い、もしくは略同程度の厚みからなる壁で構成されている。
【００６３】
ネジボス１１６ｃの側面には外周凸形状となるネジボス係止部１２８ｃが穴１２３ｃの開口端まで設けられ、流路カバー１１８にネジボス係止部１２８ｃと対向する位置に中間係止部１２２が設けられている。
中間係止部１２２は、ネジボス係止部１２８ｃのネジ１１９ｃ（図６参照）締め付け時の回転方向の後ろ側に位置し、ネジボス１１６ｃの円筒中心軸方向にネジボス係止部１２８ｃとの重なり部を有し、ネジボス係止部１２８ｃと当接もしくは微小隙間を有して設けられる。
【００６４】
この構成において、ネジ１１９ｃをネジボス１１６ｃに締め付けると、ネジ１１９ｃの締め付け回転方向に締め付け力と等しい力がネジボス１１６ｃに加わる。ネジボス１１６ｃに加わる力はネジボス係止部１２８ｃから中間係止部１２２に伝わり、中間支持部１２７ｃへ伝わる力が減じられるため、中間支持部１２７ｃの破損を防止することができる。
また、この構成においては、ネジ１１９ｃをネジボス１１６ｃに締め付ける際に、ネジボス係止部１２８ｃと中間係止部１２２に加わる力に対して、必要とする形状への自由度が高いという利点がある。
【００６５】
中間係止部１２２においては、強度を高めるために簡単には中間係止部の幅を増やすことが考えられるが、幅を増やすと流路カバー１１８の中間係止部１２２の根元付近にヒケを生じるが、使用時には目に触れ難い意匠性の要求が低い場所であるため、意匠性の都合による中間係止部１２２の形状の制約が少ない。
【００６６】
ネジボス係止部１２８ｃにおいては、強度を高めるために簡単にはネジボス係止部１２８ｃの幅を増やすことが考えられるが、ネジボス係止部１２８ｃの位置を空間１２５ｃ開口側とすることで、上ケース１１４の基面１２４と隔てられるため、ネジボス係止部１２８ｃによって基面１２４にヒケを生じることがなく、意匠性の都合によるネジボス係止部１２８ｃの形状の制約が少ない。
【００６７】
以上、本発明の実施形態について説明したが、本発明は前記した実施形態に限定される
ものではなく、本発明の趣旨を逸脱しない範囲において種々変更することができる。
【００６８】
例えば、前記した実施形態では、１つのネジボス係止部１２８と１つの固定係止部１２９もしくは中間係止部１２２を設けた場合を例に挙げて説明したが、１つに限定されるものではなく、２つ以上であってもよい。ネジボス係止部１２８と固定係止部１２９もしくは中間係止部１２２を２つとすることで、ネジ１１９をネジボス１１６に締め付ける際に、ネジボス１１６に加わる締付け回転方向の力が分散されるため、ネジボス係止部１２８と固定係止部１２９もしくは中間係止部１２２を小さくすることが可能で、またはより大きな締付け力に対応出来る。
【００６９】
また、前記した実施形態では、固定係止部１２９を下ケース１１５に、中間係止部１２２を流路カバー１１８に設けたが、この限りではなく、固定係止部１２９を流路カバー１１８に設けても、中間係止部１２２を下ケース１１５に設けても良い。
【００７０】
また、前記した実施形態では、固定係止部１２８もしくは中間係止部１２２は、ネジボス係止部１２８のネジ１１９締め付け時の回転方向の後ろ側に位置して設けられたが、これとは別にネジ１１９緩み戻し時にネジボス係止部１２８と当接する位置に固定係止部１２８もしくは中間係止部１２２を設けても良い。ネジ１１９緩み戻し時にネジボス係止部１２８と当接する位置に固定係止部１２８もしくは中間係止部１２２を設けることで、ネジ１１９緩み戻し時にネジボス１１６および基面１２４の破損等が防止できる。
【００７１】
また、前記した実施形態では、ネジボス１１６の略中央に設けられる穴１２３の開口側他端の、ネジボス１１６と基面１２４の間に空間１２５を有し、ネジボス１１６と基面１２４は中間支持部１２７にて結合する場合を例に挙げて説明したが、ネジボス１１６および基面１２４の破損等が防止でき、基面１２４のヒケ等が外観の意匠性において許容できる範囲において、空間１２５と中間支持部１２７を設けずに、ネジボス１１６を基面１２４に結合しても良い。
【００７２】
また、前記した実施形態では、ネジボス係止部１２８はネジボス１１６外周に凸形状として設けたが、凹形状としても良く、凹形状のネジボス係止部１２８の対向する位置に、固定係止部１２９もしくは中間係止部１２２が設けられ、ネジボス係止部１２８のネジ１１９締め付け時の回転方向の後ろ側に位置し、ネジ１１９締付け時にネジボス１１６および基面１２４の破損等が防止できる。
更に、ネジボス１１６は断面形状が四角等の多角形形状や楕円形状からなる柱状でもよく、この場合、穴１２３の中心軸からネジボス１１６の外周距離で短いところから長いところへ変化する部分がネジボス係止部１２８となり、ネジボス係止部１２８に対向する位置に、固定係止部１２９もしくは中間係止部１２２が設けられ、ネジボス係止部１２８のネジ１１９締め付け時の回転方向の後ろ側に位置し、ネジ１１９締付け時にネジボス１１６および基面１２４の破損等が防止できる。
【００７３】
また、前記した実施形態では、ネジボス係止部１２８はネジボス１１６外周に凸形状として設けたが、ネジボス１１６の穴１２３開口端面側に設けても良く、穴１２３開口端面側に設けたネジボス係止部１２８の対向する位置に、固定係止部１２９もしくは中間係止部１２２が設けられ、ネジボス係止部１２８のネジ１１９締め付け時の回転方向の後ろ側に位置し、ネジ１１９締付け時にネジボス１１６および基面１２４の破損等が防止できる。
【００７４】
また、前記した実施形態では、吸口体３のネジボス１１６にネジボス係止部１２８を設けたが、電気掃除機本体１に適用しても良く、また操作管（図示せず）や延長管（図示せず）に適用しても良い。
【符号の説明】
【００７５】
３      吸口体
１１０  吸口ケース
１１１  吸口
１１２  カバー部材
１１６  ネジボス（１１６ａ、１１６ｂ、１１６ｃ、１１６ｄ、１１６ｅ、１１６ｆ）
１２２  中間係止部
１２５  空間
１２７  中間支持部
１２８  ネジボス係止部
１２９  固定係止部
【図１】
2019017833.tif 000003
【図２】
2019017833.tif 000004
【図３】
2019017833.tif 000005
【図４】
2019017833.tif 000006
【図５】
2019017833.tif 000007
【図６】
2019017833.tif 000008
【図７】
2019017833.tif 000009
【図８】
2019017833.tif 000010
【図９】
2019017833.tif 000011